(57)【特許請求の範囲】
【請求項１】
芯固定チャックをボールでチャックケース先端の締め具に締めつける構造により筆記に対しては充分な芯の保持力を有するが、芯の当該チャックからの引出しには僅かな力しか必要としないシャープペンシルに於いて、
軸筒１、チャックケース２、芯固定チャック３、口金１３、繰り出し体１６、触指部２０の主要部材が夫々合成樹脂成形品として形成され、上記芯固定チャック３の後端に縮径方向に弾性変位可能な係止部３ｃが設けられ、口金１３を軸筒１の先端に螺合又は圧入等により固定して、口金１３の内部に、中心部に保持チャック１８を有し、後端に拡開方向に弾性変位可能な係止部１９ｂが設けられた繰り出し体１６を嵌装し、繰り出し体１６と一体に連動するリング状の触指部２０を口金１３の外部に露呈して設け、該触指部２０の内部で、触指部２０と口金１３との間にコイルスプリング２１を介在させて触指部２０を前方に押圧状態と成して、触指部２０の最後退位置で芯固定チャック３の係止部３ｃに繰り出し体１６の係止部１９ｂが弾性的に係合すると共に、その係合作用によって上記芯固定チャック３が僅かに前進されて芯の把持状態が解除され、触指部２０を上記最後退位置より前方の位置で後退させることで芯が繰り出されるように構成されたことを特徴とする触指繰り出し式のシャープペンシル。
【請求項２】
軸筒１に対し後退阻止された芯ケース９と軸筒１に対し前方への移動が阻止された状態に設けられたスペーサー２２との間にコイルスプリング１２が附勢されると共に、チャックケース２の後端がスペーサー２２の内段部２２ａに当接するように設けられて、口金１３の先端パイプ１４の先端から突出した芯の先端に過大な筆圧が加わった時に、芯固定チャック３、チャックケース２、スペーサー２２がコイルスプリング１２を圧縮して後退し、芯が先端パイプ１４内に没入可能となり、また、コイルスプリング１２を圧縮して芯ケース９が前進すると、それと連動してチャックケース２が前進して芯の繰り出しが可能となるように構成されたことを特徴とする請求項１に記載の触指繰り出し式のシャープペンシル。
【発明の詳細な説明】
【０００１】
【産業上の利用分野】
本発明は、筆記時に芯が消耗した場合などに、一々後端をノックする必要のないシャープペンシル又は筆記状態を維持したまま軸の先端部に設けられた触指部に指先で軽く後方へ引いて放すという操作を加えることによって、必要量の芯の繰り出しを可能とする触指繰り出し式のシャープペンシルの改良に関する。
【０００２】
【従来の技術】
従来例として、芯固定チャックをボールで締めつける構造により筆記に対しては充分な芯の保持力を有するが、芯のチャックからの引出しには僅かな力しか必要としないシャープペンシルが知られている。此のものは、筆記に伴う芯の消耗で一々後端をノックして芯を繰り出すという煩わしさはないが、先端パイプと保持チャックを一体的に有したスライダーが口金に対し芯の消耗と共に後退するよう成されている為に先端パイプに外力が懸かると意図せず芯が繰り出されてしまう問題がある。特に、先端パイプを定規に当てて線引きをするなどの場合に起きる。意図しないで芯を長く突出してしまった場合に、芯を戻す動作として後端をノックしてチャックを前進させ、芯の把持を解除する必要がある。従って、軸筒を握り直す必要が生じ面倒である。
又、筆記の際、芯の先端に過大な筆圧が懸かった時に芯折れや芯固定チャックの把持部に芯滑りを生じて把持部の磨耗や芯の粉による目詰まり等で芯把持不良を起こす。把持部には通常微小螺子目状の突部が形成されている。特に、ローコスト化で芯固定チャックを樹脂成形品とした場合に顕著に問題が起きる。
【０００３】
又、当出願人は実公昭６４ー１１０７号公報で触指繰り出し式シャープペンシルを開示している。それによれば、チャックケース２の前端部外周には接合筒６が軸筒７に圧入固定されており、この接合筒６の前端内径部に軸継ぎ手８が螺着されている。軸継ぎ手８の前端外径部には螺子部が形成されており、ここに先端パイプ９を固定した口金１０が螺着している。軸継ぎ手８の内径部には保持チャック１２を中心に嵌装した繰り出し体１３の中心部１４が内装されており、繰り出し体１３はこの中心部から外方に片部１５を突出させその先端に短筒状の触指部１６を構成している。繰り出し体１３の片部１５は軸継ぎ手８の先端から後方に向かって軸方向に設けられたスリ割り１７を貫通しておりその触指部１６を軸継ぎ手８の外周部に露呈させている。触指繰り出しとは別に、普通に芯を繰り出す場合には、ノック操作部に連結する芯ガイド１が接合筒６との間に介装されたコイルスプリング２０を圧縮しながらチャックケース２を軸継ぎ手８の後端に衝合するまで前進させ、次いで芯固定チャック４が開放されて芯の繰り出しが行われる。ノックを解除するとチャックケース２が後退するが、その時には芯固定チャック４が開放されたまま後退する必要がある。その為に、芯ガイド１はチャックケース２の外周にコイルスプリング５より強い力で摩擦係合するように構成される必要がある。以上示したように、従来例は軸継ぎ手８の螺子部にスリ割り１７を設けたことにより変形し易い欠点がある。その為、繰り出し体１３の摺動不良や口金１０の緩みが起きやすい。従って、実際上それらの部材は金属加工品で設けられており部材費が割り高と成っている。又、従来例は部品点数も多く、螺合部が多いので更にコストアップという問題がある。
【０００４】
【発明が解決しようとする課題】
そこで本発明は、上記操作上の面倒な点を解消すること。又、従来例の触指繰り出し式のシャープペンシルの構造上の欠点を改良し、主要部材の殆どを樹脂化可能として、且つ部材の省略を計り大幅なコストダウンにより安価に提供せんとするものである。
【０００５】
【課題を解決するための手段】
本発明は、上記課題を達成する為に以下の構成を有する。
請求項１に記載の発明に係る触指繰り出し式のシャープペンシルは、芯固定チャックをボールでチャックケース先端の締め具に締めつける構造により筆記に対しては充分な芯の保持力を有するが、芯の当該チャックからの引出しには僅かな力しか必要としないシャープペンシルであって、軸筒１、チャックケース２、芯固定チャック３、口金１３、繰り出し体１６、触指部２０の主要部材が夫々合成樹脂成形品として形成され、上記芯固定チャック３の後端に縮径方向に弾性変位可能な係止部３ｃが設けられ、口金１３を軸筒１の先端に螺合又は圧入等により固定して、口金１３の内部に、中心部に保持チャック１８を有し、後端に拡開方向に弾性変位可能な係止部１９ｂが設けられた繰り出し体１６を嵌装し、繰り出し体１６と一体に連動するリング状の触指部２０を口金１３の外部に露呈して設け、該触指部２０の内部で、触指部２０と口金１３のとの間にコイルスプリング２１を介在させて触指部２０を前方に押圧状態と成して、触指部２０の最後退位置で芯固定チャック３の係止部３ｃに繰り出し体１６の係止部１９ｂが弾性的に係合すると共に、その係合作用によって上記芯固定チャック３が僅かに前進されて芯の把持状態が解除され、触指部２０を上記最後退位置より前方の位置で後退させることで芯が繰り出されるように構成されてなる。
【０００６】
請求項２に記載の発明に係る触指繰り出し式のシャープペンシルは、請求項１に記載の触指繰り出し式のシャープペンシルに於いて、軸筒１に対し後退阻止された芯ケース９と軸筒１に対し前方への移動が阻止された状態に設けられたスペーサー２２との間にコイルスプリング１２が附勢されると共に、チャックケース２の後端がスペーサー２２の内段部２２ａに当接するように設けられて、口金１３の先端パイプ１４の先端から突出した芯の先端に過大な筆圧が加わった時に、芯固定チャック３、チャックケース２、スペーサー２２がコイルスプリング１２を圧縮して後退し、芯が先端パイプ１４内に没入可能となり、また、コイルスプリング１２を圧縮して芯ケース９が前進すると、それと連動してチャックケース２が前進して芯の繰り出しが可能となるように構成されてなる。
【０００７】
【実施例】
図１乃至図３は本発明の実施例を示している。
先ず、軸筒１の後端より適宜突出した芯ケース９の後端孔に消しゴムを取付けた消しゴム止め具が止着され、芯ケース９の後端外周にはノックカバーが着脱自在に嵌着される。（図示せず）
【０００８】
又、芯ケース９の先方に鍔部９ａが形成されて軸筒１内の段部１ｂで後退阻止されると共に先端には芯ガイド１０が形成され、芯ガイド１０の先方の外周には周状の溝部１１ａが設けられ、該溝部１１ａの後方に突条の係止部１１が設けられている。又、後述するチャックケース２の後方側面にはスリット部６が形成され、該スリット部６と直交する外周に軸方向の窓部８が穿設され、窓部８の後端は段部８ａを有して閉塞状と成っている。又、内側面には内方突条の係止部７が設けられている。
芯ガイド１０はチャックケース２の後端孔より弾性的に嵌入して上記係止部１１が窓部８に嵌挿すると共に係止部１１が段部８ａに当接して芯ガイド１０はチャックケース２に対し前後退可能で抜け止めされる。（尚、図示された断面で、上記係止部１１及び窓部８は見えないので想像線で示している）
【０００９】
又、軸筒１の段部１ａに対峙してスペーサー２２が配設され、チャックケース２の後端がその内段部２２ａに当接すると共に、芯ケース９は前記鍔部９ａと上記スペーサー２２の後端との間でコイルスプリング１２により常時は後方に附勢されている。
【００１０】
ところで、前記チャックケース２の先端には締め具２ａが固着されている。締め具２ａの前端内径部はテーパー状を呈しており、そのテーパー面に接触するボール４、４を把持部３ａの外面凹部に嵌入した芯固定チャック３が内装され、この芯固定チャック３は締め具２ａの後方に形成される段部との間に介装されたコイルスプリング５により後方へ附勢されている。尚、芯固定チャック３は弾性にすぐれ、耐磨耗性に強い合成樹脂成形品で二つ割り状の筒体を合わせた状態で構成される。又、芯固定チャック３の後端部外周には前方に向かう弾性片３ｂと該弾性片３ｂの先端にはアール状又は山形状の突状周面を有した係止部３ｃが形成され、弾性片３ｂ及び係止部３ｃは前記チャックケース２のスリット部６に摺動自在に嵌装される。又、係止部３ｃは弱い力で縮径方向に弾性変位可能と成されている。又、上記弾性片３ｂと係止部３ｃを構成する後端部は芯固定チャック３の後端に一体に形成されるが、製造上、芯固定チャック３の後端に別部材として固着されることもある。
【００１１】
又、芯に筆記圧が働くとボール４、４が転動して芯固定チャック３は楔効果により締まり芯は保持されるが、芯を前方へ引き出す場合には、上記コイルスプリング５のばね力を弱く設定しておくことにより数グラム程度の小さい力により可能となるように構成されている。ところで、上記チャックケース２は樹脂成形品で形成され締め具２ａは金属加工で形成される。本来、チャックケースと締め具は一体で形成されるものであるが、加工が複雑な為に金属だとコスト高となる。又、樹脂製だと耐久性不足となる。締め具２ａを金属としている理由はボールの転動による耐磨耗性とテーパー部の剛性を配慮したことによる。尚、耐久性を妥協すれば一体の樹脂成形品でもよい。
【００１２】
又、軸筒１の前端内径部には螺子部が形成されており、ここに先端パイプ１４を固定した樹脂製の口金１３が鍔部１３ａの後方部位で螺着している。又、後方部位の後方外周部に窓部１３ｂが穿設されている。又、口金１３は軸筒１の前端外径部に圧入する場合もある。又、口金１３に先端パイプを一体に形成する場合もある。又、口金１３の鍔部１３ａの前方軸側面にガイドスリット１５が穿設され、該ガイドスリット１５と連通して後方部位内周部に後端に至りガイド溝１５ａが形成されている。又、上記窓部１３ａはガイド溝１５ａと同軸線上に設けられている。
【００１３】
又、口金１３の内部には繰り出し体１６が摺動自在に嵌装されており、繰り出し体１６の中心部１７に保持チャック１８が固定されて設けられ、後端側に一体に延出した係合片１９の前端外周には上記ガイドスリット１５に対応する所定位置で、係止溝１９ｃが形成され、係合片１９はガイドスリット１５に嵌入して摺動自在と成されている。又、係合片１９の後端には前記窓部１３ｂに対応する位置で弾性変位可能な弾性部１９ａと該弾性部１９ａの内側に前記係止部３ｃと対応するアール状又は山形状の凹溝状の係止部１９ｂが形成されている。
又、前記締め筒２ａの先端と繰り出し体１６が口金１３の最前端位置にある時の対向面との間にはノック操作による繰り出し量だけの間隔が設けられている。
【００１４】
又、触指部２０はリング状を呈した樹脂製で、略先端の内周部には前記係止溝１９ｃに対応した箇所で突部２０ａが形成されている。触指部２０は口金１３の外部に嵌装され、突部２０ａが弾性的に係止溝１９ｃに嵌入して相互が係合されて触指部２０と繰り出し体１６は一体に連動する。又、触指部２０の後端と口金１３との間には触指繰り出しの為の間隔が設けられている。
【００１５】
又、触指部２０の内部で、触指部２０と口金１３との間にコイルスプリング２１を介在させて触指部２０を前方に押圧状態に附勢している。このスプリングのばね力は芯固定チャック３から芯を引き出す力よりも大きくて構わないので１０グラム乃至２０グラム程度に設定できる。
【００１６】
図１に示すように、前記芯固定チャック３の係止部３ｃと繰り出し体１６後端の係止部１９ｂは同軸線上に対峙した状態にする必要がある。その為に、チャックケース２の外周部と口金１３の内周部との間にチャックケース２が前後退のみ自在な回転止めの為のリブと溝が設けられる。（図示せず）
以上の構成で、芯固定チャック３に対する繰り出し体１６の前後退で係止部３ｃと係止部１９ｂが係脱する。ところで、その係脱力は弱いものであるが、コイルスプリング５の附勢力よりも僅かに強く、コイルスプリング２１の附勢力よりも適宜弱く設定されている。
【００１７】
以上、説明した実施例は触指繰り出し式のシャープペンシルであるが、芯固定チャックをボールで締めつける構造のシャープペンシルであれば、例えば、先端パイプと保持チャックを一体的に有したスライダーが口金に対し常時先端側にスプリング等で附勢されて筆記時に芯の消耗と共に後退する形式のものであってもよい。
【００１８】
【作用】
繰り出し体１６は外部の触指部２０を指でもって軽く後方に引いて係合片１９をガイドスリット１５及びガイド溝１５ａに沿わせることによって後方に摺動させることができる。次に、指を放すと保持チャック１８が芯を保持して前方へ戻るので芯を繰り出すことができる。この繰り出し量は触指部２０の後端が対向する口金１３の鍔部１３ａに当接する前の適宜隙間を有した間隔の値となる。
（図２参照）
又、図２の状態で芯固定チャックの係止部３ｃと繰り出し体の係止部１９ｂが係合する寸前となり、触指部２０の後端が鍔部１３ａに当接した状態で相互の係止部のアール状又はテーパー状（山形状）の周面による突飛効果で係止部３ｃが係止部１９ｂに係合し、芯固定チャック３が僅かに前進状態となって芯の把持が開放される。従って、その状態で芯の先端を押圧すれば芯が先端パイプ１４内に没入可能となる。（図３参照）
【００１９】
尚、普通に芯を繰り出す場合は、ノックカバーの後端をノックすればよく、ノックカバーに連結した芯ケース９先端の段部９ａとスペーサー２２の後端との間に介装されたコイルスプリング１２を圧縮しながら芯ガイド１０がチャックケース２と一体の締め具２ａを前進して（前記芯ガイド１０の溝部１１ａがチャックケース２の係止部７と係合しているので芯ケース９とチャックケース２は連動する）その先端を対向する繰り出し体１６の段部１６ａに衝合する。この状態でチャックケース２の前進が阻止されるので上記溝部１１ａが弾性的に係止部７を乗り越えて前進し、芯ガイド１０の先端が芯固定チャック３の後端に当接して芯固定チャック３が開放されて芯の繰り出しが行われる。
【００２０】
次いで、ノックカバーの後端ノックを解除すると、係止部７が芯ガイド１０の外周に摩擦係合しているので芯固定チャック３は把持部を開放したまま芯ケース９と共にチャックケース２が後退して、チャックケース２がスペーサー２２の内段部２２ａに当接して後退を阻止されると、芯ケース９、即ち芯ガイド１０のみが後退して係止部１１が窓部８の段部８ａに当接すると共に、溝部１１ａに係止部７が嵌入する。
ところで、上記実施例では係止部７に係合する溝部１１ａを一箇所設けているが、芯ガイド１０の前進位置、後退位置で夫々二箇所で設けることもできる。
【００２１】
又、筆記時に於いて、芯の先端に過大な筆圧が懸かった時には芯固定チャック３、チャックケース２、スペーサー２２がコイルスプリング１２を圧縮して後退するので芯が先端パイプ１４内に没入する。
【００２２】
【発明の効果】
本発明は以上の通りであり、芯が長く突出してしまった場合に握ったままの姿勢で指で釦を操作して芯を回収できるので従来の面倒な操作が解消される。
又、触指繰り出し式のシャープペンシルとした場合には、従来の軸継ぎ手の先端まで切欠いたスリ割りがないので触指部の摺動不良や螺合部の緩み等の構造上の欠点が解消される。又、軸筒、口金、繰り出し体、触指部を夫々合成樹脂成形品として形成し、部材の単純化を計ったことにより大幅なコストダウンが可能となる。又、従来の複雑な金属加工や螺合部は加工ばらつきによる品質の問題が存在するが、本願では金型による樹脂成形で形成できるので部材間のばらつきが無く品質が安定化する効果も奏する。又、芯の先端に過大な筆圧が懸かった場合に芯が先端パイプ内に没入するので芯折れや芯固定チャックの芯の把持部に負担がかからず耐久性の向上や高価な芯固定チャックを安価な樹脂成形品と成すことが可能となる。
【図面の簡単な説明】
【図１】  本発明の実施例である触指繰り出し式のシャープペンシルの要部縦断面図で、一部が半断面されている。
【図２】  図１に対応して、触指部を引いて芯を繰り出す状態を示した縦断面図である。
【図３】  触指部を最後退させて、芯固定チャックの把持が解除される状態を示した縦断面図である。
【符号の説明】
１  軸筒
１ａ  段部
１ｂ  段部
２  チャックケース
２ａ  締め具
３  芯固定チャック
３ａ  把持部
３ｂ  弾性片
３ｃ  係止部
４  ボール
５  コイルスプリング
６  スリット部
７  係止部
８  窓部
８ａ  段部
９  芯ケース
９ａ  鍔部
１０  芯ガイド
１１  係止部
１１ａ  溝部
１２  コイルスプリング
１３  口金
１３ａ  鍔部
１３ｂ  窓部
１４  先端パイプ
１５  ガイドスリット
１５ａ  ガイド溝
１６  繰り出し体
１６ａ  段部
１７  繰り出し体の中心部
１８  保持チャック
１９  係合片
１９ａ  弾性部
１９ｂ  係止部
１９ｃ  係止溝
２０  触指部
２０ａ  突部
２１  コイルスプリング
２２  スペーサー
２２ａ  内段部
【図１】
0003649773.tif 000002
【図２】
0003649773.tif 000003
【図３】
0003649773.tif 000004